(57)【要約】      （修正有）【課題】使用状況に応じてイヤピースのベントポートの開閉を選択できるようにする。【解決手段】イヤピースは、レシーバの出力２０に接続され、ユーザーの外耳道の鼓膜側のレシーバ開口部２２まで延びたレシーバチャネル１８を備える。イヤピースに設けられ、周囲の側に開口するベントチャネルは、ベントポート２６を介してレシーバチャネル１８に接続されている。閉鎖要素３０は、第１の状態のときベントポート２６を開くように、ベントポート２６を閉じた第２の状態に位置する。閉鎖要素３０は、第１の磁気部材３２を備え、第２の磁気部材３８のコイル４０を電流源／電圧源５０で駆動することにより位置を変化させる。【選択図】図３ｂ
2020108140.tif 000002
【特許請求の範囲】
【請求項１】
ユーザの外耳道用のイヤピースを備えるシステムであって、
前記イヤピースは、前記イヤピースを装着した前記ユーザの前記外耳道を密閉するように構成されており、
前記イヤピースは、前記イヤピースが前記ユーザに装着されているときに、前記ユーザの前記外耳道の鼓膜を向いている第１の端部を有しており、
前記イヤピースは、前記イヤピースが前記ユーザに装着されているときに、前記ユーザの周囲を向いている第２の端部を有しており、
前記イヤピースは、
前記第１の端部に配置された第１のベント開口部と、前記第２の端部に配置された第２のベント開口部とに接続されているベントチャネルであって、ベントポートを備えるベントチャネルと、
第１の磁気部材を備える閉鎖要素であって、第１の状態又は第２の状態であるように構成されており、前記第１の状態では、前記閉鎖要素により前記ベントポートが開かれ、前記第２の状態では、前記閉鎖要素により前記ベントポートが閉じられる閉鎖要素と、
導体材料を備える誘導部材であって、前記閉鎖部材と固定された関係で構成されているとともに、第２の磁気部材と誘導結合するように構成されている誘導部材と、
前記第１の磁気部材との磁気相互作用によって、前記閉鎖要素を変位させるように構成されている前記第２の磁気部材と、
を備え、
前記システムは、
前記第２の磁気部材に通信可能に接続されて、前記第２の磁気部材の電気測定値を取得するように構成されているプロセッサを備え、
前記プロセッサは、前記第２の磁気部材の前記電気測定値に基づいて前記閉鎖要素の前記状態を決定するように構成されている、システム。
【請求項２】
第１の閾値を含むメモリをさらに備え、
前記プロセッサは、前記メモリに通信可能に接続され、前記第１の閾値を取得するように構成されており、
前記プロセッサは、前記電気測定値と前記第１の閾値との比較に基づいて、前記閉鎖要素が前記第１の状態又は前記第２の状態であると検出するように構成されている、請求項１に記載のシステム。
【請求項３】
前記メモリは、第２の閾値を含み、
前記プロセッサは、前記電気測定値と前記第１の閾値との間の第１の差が、前記電気測定値と前記第２の閾値との間の第２の差よりも小さい場合、前記閉鎖要素が前記第１の状態であると決定するように構成されている、請求項２に記載のシステム。
【請求項４】
前記プロセッサは、前記第２の差が前記第１の差よりも小さい場合、前記閉鎖要素が前記第２の状態であると決定するように構成されている、請求項３に記載のシステム。
【請求項５】
前記メモリは、前記第１の閾値と前記第２の閾値との間の少なくとも１つの第３の閾値を含み、
前記プロセッサは、前記電気測定値と前記第３の閾値との間の第３の差が前記第１の差よりも小さく、且つ、前記第３の差が前記第２の差よりも小さい場合、前記閉鎖要素が前記第１の状態と前記第２の状態との間にある第３の状態であると決定するように構成されている、請求項４に記載のシステム。
【請求項６】
前記システムは、レシーバをさらに備え、
前記イヤピースは、前記レシーバの出力に接続されているとともに、前記イヤピースの前記第１の端部のレシーバ開口部まで延びているレシーバチャネルであって、前記外耳道内で音響出力信号を提供するためのレシーバチャネルをさらに備え、
前記レシーバチャネルは、前記ベントポートを介して前記ベントチャネルに接続されている、請求項１から５のいずれか一項に記載のシステム。
【請求項７】
入力信号を提供するために前記ユーザの周囲へ向けられたマイクロホンをさらに備え、
前記プロセッサは、前記入力信号を処理するように構成されており、
前記レシーバは、前記プロセッサからの前記出力信号を前記音響出力信号へ変換するために、前記プロセッサの出力に接続されている、請求項６に記載のシステム。
【請求項８】
前記システムは、前記イヤピースの前記第１の端部と前記イヤピースの前記第２の端部との間に延びる長手軸を有し、
前記閉鎖要素は、前記長手軸に沿って延びる通路であって、その通路を介して前記レシーバの前記出力から前記イヤピースの前記第１の端部まで音波が伝搬することを可能にするための通路を備える、請求項１から７のいずれか一項に記載のシステム。
【請求項９】
前記第１の磁気部材は、第１の端部と、前記第１の端部と反対側の第２の端部とを有する中空構造を備え、前記第１の磁気部材は、前記第１の端部及び前記第２の端部のそれぞれに開口部を備える、請求項１から８のいずれか一項に記載のシステム。
【請求項１０】
前記第２の磁気部材は、複数の巻線を有するコイルを備え、前記第２の磁気部材は、電流源又は電圧源に接続されている、請求項１から９のいずれか一項に記載のシステム。
【請求項１１】
前記誘導部材と前記第２の磁気部材との間の前記誘導結合は、前記閉鎖要素の前記状態に応じて前記第２の磁気部材の前記電気インピーダンスを変化させる、請求項１０に記載のシステム。
【請求項１２】
前記プロセッサは、前記第２の磁気部材に供給される電流又は電圧を調整することによって、前記閉鎖要素の前記状態を設定するように構成されている、請求項１から１１のいずれか一項に記載のシステム。
【請求項１３】
前記プロセッサは、前記システムが前記第３の状態であると検出することによって、エラー検出するように構成されている、請求項５を引用する請求項１から１２のいずれか一項に記載のシステム。
【請求項１４】
前記イヤピースは、前記レシーバチャネル内の前記閉鎖要素の変位を制限するように構成されているコンファイナを備える、請求項１から１３のいずれか一項に記載のシステム。
【請求項１５】
前記変位は、前記長手軸に沿っている、請求項８を引用する請求項１４に記載のシステム。
【発明の詳細な説明】
【技術分野】
【０００１】
本開示は、ユーザの外耳道用のイヤピース及びユーザの外耳道用のイヤピースを備えるシステムに関する。イヤピースは、イヤピースを装着したユーザの外耳道を密閉するように構成されている。イヤピースは、イヤピースがユーザに装着されているときにユーザの外耳道の鼓膜を向いている第１の端部を有する。イヤピースは、イヤピースがユーザに装着されているときにユーザの周囲を向いている第２の端部を有する。イヤピースは、第１の端部に配置された第１のベント開口部と、第２の端部に配置された第２のベント開口部とに接続されたベントチャネルを備える。ベントチャネルはベントポートを備える。イヤピースは、閉鎖要素を備える。閉鎖要素は、第１の磁気部材を備える。閉鎖要素は、第１の状態又は第２の状態であるように構成され、第１の状態では、閉鎖要素によりベントポートが開かれ、第２の状態では、閉鎖要素によりベントポートが閉じられる。
【背景技術】
【０００２】
聴覚装置用のイヤピースは、イヤピースを装着したユーザの外耳道を通気するためのベント開口部を有するベントチャネルを備えてもよい。ベントは、外耳道と周囲との間の均圧を可能にし、閉塞効果を低減又は回避するためのものである。
【発明の概要】
【発明が解決しようとする課題】
【０００３】
しかしながら、改良されたイヤピースと、イヤピースを備える改良されたシステムとが必要である。
【課題を解決するための手段】
【０００４】
本明細書は、ユーザの外耳道用のイヤピースを備えるシステムを開示する。イヤピースは、イヤピースを装着したユーザの外耳道を密閉するように構成されている。イヤピースは、イヤピースがユーザに装着されているときに、ユーザの外耳道の鼓膜を向いている第１の端部を有している。イヤピースは、イヤピースがユーザに装着されているときに、ユーザの周囲を向いている第２の端部を有している。イヤピースは、第１の端部に配置されている第１のベント開口部と、第２の端部に配置されている第２のベント開口部とに接続されているベントチャネルを備える。ベントチャネルは、ベントポートを備える。イヤピースは、閉鎖要素を備える。閉鎖要素は、第１の磁気部材を備える。閉鎖要素は、第１の状態又は第２の状態であるように構成されており、第１の状態では、閉鎖要素によりベントポートが開かれ、第２の状態では、閉鎖要素によりベントポートが閉じられる。イヤピースは、導体材料を備える誘導部材を備える。誘導部材は、閉鎖部材と固定された関係で構成されているとともに、第２の磁気部材と誘導結合するように構成されている。第２の磁気部材は、第１の磁気部材との磁気相互作用によって閉鎖要素を変位させるように構成されている。システムは、第２の磁気部材に通信可能に接続されているプロセッサであって、第２の磁気部材の電気測定値を取得するように構成されているプロセッサを備える。プロセッサは、第２の磁気部材の電気測定値に基づいて、閉鎖要素の状態を決定するように構成されている。
【０００５】
閉鎖要素は、ベントポートが開いているか閉じているかのいずれかを提供する、二つの異なる状態であり得ることが利点である。
【０００６】
誘導部材と閉鎖要素との間の固定された関係によって、閉鎖要素が第２の磁気部材に対して誘導部材を移動させたときに、第２の磁気部材と誘導部材との間の誘導結合が変化し、それに従い第２の磁気部材の電気測定値も変化する。
【０００７】
第２の磁気部材の電気測定値（例えば電気インピーダンス）が変化することは、利点である。それは、電気測定値は測定又は検出可能であるためであり、それによって、電気測定値の検出された変化は、閉鎖要素の状態が変化したこと、即ち、第１の状態から第２の状態へ変化したこと、又はその逆に変化したこと、また、これによりベントポートが、開いた状態から閉じた状態、又はその逆に変化したことを示すからである。従って、測定された電気測定値は、ベントポートが開いているか閉じているかの情報を提供する。
【０００８】
誘導部材と第２の磁気部材との間の誘導結合は、閉鎖要素の状態に応じて第２の磁気部材の電気測定値を変化させ得る。従って、閉鎖要素が第１の状態であればベントポートは開かれ、電気測定値はある値、例えば第１の値を有する。閉鎖要素が第２の状態であればベントポートは閉じられ、電気測定値は別の値、例えば第２の値を有する。第１の値は、第２の値よりも高くてもよいし、あるいは低くてもよい。
【０００９】
例えば、電気測定値、例えばインピーダンスは、誘導部材が第２の磁気部材に近いほど高くてもよい。これは、例えば、ベントポートが開いている場合に該当していてもよい。
【００１０】
別の実施例では、電気測定値、例えばインピーダンスは、誘導部材が第２の磁気部材に近いほど低くてもよい。これは、例えば、ベントポートが開いている場合に該当していてもよい。
【００１１】
さらに別の実施例では、電気測定値、例えばインピーダンスは、誘導部材が第２の磁気部材から遠ざかるほど高くてもよい。これは、例えば、ベントポートが閉じている場合に該当していてもよい。
【００１２】
さらに別の実施例では、電気測定値、例えばインピーダンスは、誘導部材が第２の磁気部材から遠ざかるほど低くてもよい。これは、例えば、ベントポートが閉じている場合に該当していてもよい。
【００１３】
第２の磁気部材は、第１の磁気部材との磁気相互作用によって閉鎖要素を変位させるように構成されている。変位は、第１の状態と第２の状態との間であってもよい。
【００１４】
システムは、第２の磁気部材に通信可能に接続され、第２の磁気部材の電気測定値を取得するように構成されているプロセッサを備える。電気測定値は測定によって取得されてもよい。プロセッサは、第２の磁気部材の電気測定値に基づいて閉鎖要素の状態を決定するように構成されている。
【００１５】
プロセッサが電気測定値、例えば電気インピーダンスに基づいて閉鎖要素の状態を決定できることは利点である。これは、バッテリを節約できるためでもあるが、閉鎖要素の状態を決定するための付加的なセンサを必要としないためでもある。
【００１６】
プロセッサが適切な電流又は電圧を第２の磁気部材に印加することによって、閉鎖要素の状態を設定でき、それによって、電気測定値が変化することは利点である。
【００１７】
一実施形態において、プロセッサは、システム及び／又はイヤピース及び／又は閉鎖要素が第３の状態であると検出するように構成されていてもよい。第３の状態において、閉鎖要素は、開いた状態でも閉じた状態でもないため、ベントポートは開いても閉じてもいない。第３の状態において、閉鎖要素は開いた状態と閉じた状態の間にあってよく、ベントポートは、部分的に開いているといったように、半分開いていてもよいし、あるいは半分閉じていてもよい。プロセッサは、電気測定値と第３の閾値との間の第３の差が第１の差よりも小さく、且つ、その第３の差が第２の差よりも小さい場合、閉鎖要素が第１の状態と第２の状態との間にある第３の状態であると決定するように構成されてもよい。
【００１８】
一実施形態において、第３の閾値は、第１の閾値と第２の閾値の間である。
【００１９】
一実施形態では、第３の状態を用いてベントポートを部分的に開くことができてもよい。プロセッサは、ベントポートが部分的に開いている必要があることを示すユーザからの入力を受信してもよい。この入力は、例えばシステム又はシステム上のボタン等に通信可能に接続された外部通信装置を介して受信される。プロセッサは、システムにより検出される音声環境又はシステムにより検出可能な任意の他のパラメータに基づいて、ベントポートが部分的に開いている必要があることを決定してもよい。プロセッサは、その入力及び／又はその決定に基づいて、プロセッサが、閉鎖要素が第３の状態であると検出するまで、第２の磁気部材を制御して閉鎖要素を第１の状態から第２の状態へ、又は第２の状態から第１の状態へ変位させるように構成されていてもよい。これにより、ベントは部分的に開いた状態、即ち、第３の状態に設定されてもよい。
【００２０】
一実施形態において、第３の状態は、第１の状態と第２の状態の略中間、例えば、第１の状態及び第２の状態の中間から５％以内の範囲、例えば、第１の状態と第２の状態の中間から１０％以内の範囲、例えば、第１の状態と第２の状態の中間から１５％以内の範囲であってもよい。
【００２１】
一実施形態において、第３の閾値は、第１の閾値及び第２の閾値の合計の略半分、例えば、第１の閾値及び第２の閾値の合計の半分から５％以内の範囲の値、例えば、第１の閾値及び第２の閾値の合計の半分から１０％以内の範囲の値、例えば、第１の閾値及び第２の閾値の合計の半分から１５％以内の範囲の値であってもよい。
【００２２】
一実施形態において、プロセッサは、システム及び／又はイヤピース及び／又は閉鎖要素が第３の状態であると検出することによってエラー検出するように構成され得る。従って、このことによって、プロセッサが、閉鎖要素が第３の状態、即ち開いても閉じてもいない状態であると決定する場合、エラー検出が可能になる。
【００２３】
プロセッサは、閉鎖要素の設定された状態と閉鎖要素の決定された状態とを比較することによるエラー検出のために構成されていることが利点である。
【００２４】
閉鎖要素の設定状態は、例えばユーザインタフェースにおいて、イヤピースが配置されている聴覚装置のユーザによって設定されてもよい。ユーザが聴覚装置で音声をストリーミングしたい場合、ユーザは聴覚装置をストリーミングモードに設定でき、聴覚装置がストリーミングモードになるとイヤピースのベントポートは閉じている必要がある。従って、閉鎖要素は、第２の状態、閉じている状態である必要がある。
【００２５】
代わりに、ユーザが聴覚装置を例えば通常モード又はヒアスルーモードに設定した場合は、イヤピースのベントポートは開いている必要がある。従って、閉鎖要素は、第１状態、開いている状態である必要がある。
【００２６】
従って、プロセッサが、第２の磁気部材の測定された電気測定値に基づいて、閉鎖要素の実際の状態を決定し得ることは、利点である。閉鎖要素が第１の状態であるとプロセッサが決定したが、閉鎖要素が第２の状態に設定されている場合、又はその逆である場合、これは検出可能なエラーである。
【００２７】
閉鎖要素の実際の状態及び閉鎖要素の設定状態は、例えば閉鎖要素の変位又は移動がブロックされた場合に異なっているか逆になっている場合がある。汚れ又は耳垢により閉鎖要素の移動がブロックされている可能性がある。
【００２８】
従って、プロセッサは、イヤピース又は聴覚装置の操作モードを検出してもよく、プロセッサは、閉鎖要素を介して操作モードを設定してもよい。聴覚装置のユーザは、聴覚装置、従ってイヤピースがどの操作モードである必要があるかを決定してもよい。例えば、ユーザは、例えば、接続されたスマートフォン上でアプリケーションを使用して、及び／又は、聴覚装置自体の機械的なプッシュボタンを使用して、ユーザインタフェースを使用できる。聴覚装置は、例えば、音響検出に基づいて、接続されたスマートフォン等からの音声の存在に基づいて、どの操作モードが適切であるかを決定してもよい。
【００２９】
モードは、ベントポートが閉じているストリーミングモードであることができる。モードは、ベントポートが開いているリスニングモードであることができる。他のモードが可能であってもよい。
【００３０】
プロセッサは、操作モードを設定し、及び／又は、閉鎖要素の状態を設定するユーザ入力を受信するように構成されてよい。ユーザ入力は、ユーザインタフェースを介して受信されてよい。
【００３１】
ユーザが話しているとき、ベントポートは開くことができ、これにより閉塞効果を低減且つ／又は消失させるが、一方で、ユーザが黙って周囲の信号、例えば他人が話していることを聞いているとき、ベントポートは閉じることができ、これにより外耳道内に比較的に高い音圧を実現することができる。そのため、イヤピースがベントポートを開閉できることは利点である。
【００３２】
外耳道と周囲との間の均圧を可能にし、閉塞効果を低減又は回避するために、ベントポートを開くことは利点である。
【００３３】
しかしながら、イヤピースを備える聴覚装置を装着しているユーザが、聴覚装置において音声をストリーミングしたい場合、例えば音楽を聴きたい場合、イヤピースがオープンフィッティングを有すると、即ち、イヤピースの第１のポートが開いていると、その音は悪くなることがある。従って、ユーザが聴覚装置において音声をストリーミングする場合、閉じた第１のポートはユーザに良質な音を提供するため、ベントポートを閉じることは利点である。
【００３４】
従って、ベントポートが開いている必要があるか、閉じている必要があるかを制御するために、及び／又は、ベントポートが開いているか閉じているかを検出するために、イヤピースの閉鎖要素の第１の磁気部材が使用できることは利点である。
【００３５】
閉鎖要素の第１の磁気部材の磁気特性によって、閉鎖要素がどの状態にあるかは電気測定により検出することができるので、ベントポートが開いているか閉じているかを検出することができる。
【００３６】
さらに、イヤピースは、ユーザの耳内に配置されるように構成されているため、汚れ又は耳垢がイヤピースに入り、場合によっては閉鎖要素をブロックする可能性がある。したがって、閉鎖要素の状態が検出できることは利点であり、上記の理由によって、閉鎖要素がブロックされているかどうかを確認するためにベントポートが開いているか閉じているかを検出する。
【００３７】
閉鎖要素は、第１の状態又は第２の状態であるように構成されている。第１の状態は、第１の位置であってもよい。従って、閉鎖要素は、レシーバチャネル内の第１の位置であってもよい。第２の状態は、第２の位置であってもよい。従って、閉鎖要素はレシーバチャネル内の第２の位置であってもよい。第１の状態又は第１の位置では、閉鎖要素によりベントポートが開かれる。従って、閉鎖要素は、ベントポートが開くことを保証する、即ち、閉鎖要素は、ベントポートを開く。第２の状態では、閉鎖要素によりベントポートが閉じられる。従って、閉鎖要素は、ベントポートが閉じることを保証する、即ち、閉鎖要素がベントポートを閉じる。
【００３８】
第１の磁気部材を備えた閉鎖要素は、磁気アクチュエータ等のアクチュエータであってもよく、これは、磁場を第２の磁気部材に印加することによってレシーバチャネル内に移動することができる。磁場が印加されたときに、第２の磁気部材は閉鎖要素の第１の磁気部材を吸引又は反発することができ、これにより閉鎖要素を移動させる。閉鎖要素を移動させることにより、閉鎖要素は、第１の状態と第２の状態との間で変化する又は切り替わる。閉鎖要素の状態を変化させることにより、ベントポートは、開いた状態又は閉じた状態の間で変化する。
【００３９】
イヤピースは聴覚装置のためのものである。
【００４０】
聴覚装置は、ユーザの聴力損失を補償するように構成されている補聴器であってもよい。
【００４１】
聴覚装置は、耳保護装置又は聴力保護装置であってもよい。
【００４２】
聴覚装置は、ノイズ保護装置であってもよい。
【００４３】
聴覚装置は、音楽、通話等の音声ストリーミングのためのものであってもよい。
【００４４】
聴覚装置は、聴力損失補償、ノイズ保護、耳保護、聴力保護、音声ストリーミング等のうちの一つ又はそれ以上のために構成されてもよい。
【００４５】
聴覚装置は、ＩＴＥ（Ｉｎ−Ｔｈｅ−Ｅａｒ）聴覚装置、ＩＴＣ（Ｉｎ−Ｔｈｅ−Ｃａｎａｌ）聴覚装置、ＣＩＣ（Ｃｏｍｐｌｅｔｅｌｙ−Ｉｎ−Ｃａｎａｌ）聴覚装置、又はＩＩＣ（Ｉｎｖｉｓｉｂｌｅ−Ｉｎ−ｔｈｅ−Ｃａｎａｌ）聴覚装置であってもよい。
【００４６】
聴覚装置は、ＲＩＴＥ（Ｒｅｃｅｉｖｅｒ−Ｉｎ−Ｔｈｅ−Ｅａｒ）聴覚装置、ＲＩＥ（Ｒｅｃｅｉｖｅｒ−Ｉｎ−ｔｈｅーＥａｒ）補聴器、又はＲＩＣ（Ｒｅｃｅｉｖｅｒ−Ｉｎ−Ｃａｎａｌ）聴覚装置であってもよい。聴覚装置は、ＢＴＥ（Ｂｅｈｉｎｄ−Ｔｈｅ−Ｅａｒ）聴覚装置であってもよく、例えば、この場合、レシーバはユーザの耳の後ろに配置されるように構成されているハウジング内に配置される。
【００４７】
ＢＴＥ聴覚装置は、ケースを備えてもよい。ケースは耳介の後ろに掛かる。ケースは、従来型のチューブ、スリムチューブ又はワイヤによって、イヤピース又はドーム型先端に取り付けられてもよい。チューブ又はワイヤは、耳介の上腹側部から耳甲介まで延びていてもよく、イヤピース又はドーム型先端は外耳道へ入る。ケースは、電子機器、制御部、バッテリ及びマイクロホンを含む。ラウドスピーカ又はレシーバは、ケース内に収容されてよく（例えば、従来型のＢＴＥ）、あるいは、イヤピース内又はドーム型チップ内に収容されてもよい（例えばＲＩＣ（Ｒｅｃｅｉｖｅｒ−Ｉｎ−ｔｈｅ−Ｃａｎａｌ））。
【００４８】
イヤピースは、イヤピースシェルを有してもよい。イヤピースシェルは、外側表面を有する。外側表面は、イヤピースのユーザの外耳道に適合するように構成されてもよい。
【００４９】
イヤピースは軸に沿って延びていてもよい。軸は、イヤピースの長手方向に平行であってもよい。
【００５０】
イヤピースは、先端面を備える先端（遠位端部）とも称される第１の端部を有する。先端面は、ユーザに装着されているときにユーザの鼓膜を向いている。軸は、先端面に垂直又は略垂直であってもよい。先端面は平面であるか又は丸みを帯びていてもよい。さらに、イヤピースは、近位端部とも呼ばれる第２の端部を有する。イヤピースは、ユーザに装着されたときに鼓膜から離れる方を向いている近位面を有してもよい。
【００５１】
イヤピースは、外耳道マイクロホンとも呼称されるマイクロホンを備え、マイクロホンは、外耳道内の音声を受信するための第１のマイクロホン開口部に接続されている。外耳道マイクロホンとして機能する第１のマイクロホンは、イヤピースシェルのマイクロホンチューブ及び／又はマイクロホンチャネルによって形成されたマイクロホンダクトを介して、第１のマイクロホン開口部に接続されてもよい。
【００５２】
イヤピースはレシーバ開口部を備える。イヤピースは、外耳道内で音声を生成するレシーバ開口部に接続されたレシーバを備えてもよい。レシーバは、イヤピースシェルのレシーバチューブ及び／又はレシーバチャネルによって形成されるレシーバダクトを介して、レシーバ開口部に接続されてもよい。
【００５３】
イヤピースは、外耳道を通気するためのベント開口部を有するベントチャネルを備えてもよい。
【００５４】
第２のベント開口部は、イヤピースの第２の端部に配置される。第１のベント開口部は、イヤピースの第１の端部に配置される。ベントチャネルは、イヤピースの第２の端部からイヤピースの第１の端部のレシーバチャネル及び／又はレシーバ開口部まで延びていてもよい。ベントチャネルはレシーバチャネルと接続されてもよい。ベントポートは、ベントチャネルとレシーバチャネルとの間に配置されてもよい。
【００５５】
ベントポートは、イヤピースの長手軸に沿って２ｍｍ未満の長さ及び／又は寸法を有してもよい。閉鎖要素の変位は２ｍｍ未満であってもよい。
【００５６】
イヤピースは、第１の端部にドームを備えてもよい。ドームは、レシーバチャネル開口部である一つの開口部のみを有してもよい。
【００５７】
プロセッサは、聴覚装置において、ノイズ低減等のために構成されてもよい。プロセッサは、補聴器において、ユーザの聴力損失補償、ノイズ低減等のために構成されてもよい。
【００５８】
第１の磁気部材を備える閉鎖要素は、磁気アクチュエータ等のアクチュエータであってもよい。
【００５９】
閉鎖要素の第１の磁気部材は、磁気リングであってよい。第１の磁気部材は、永久磁石であってよい。従って、閉鎖要素の状態は、磁場を印加することにより変化してもよい。
【００６０】
閉鎖要素は、電気音響スイッチであり得る。電気音響スイッチは、例えば機械的に双安定状態又は複数の安定状態のシステムであって、第１の磁気部材を備える閉鎖要素を含み、第２の磁気部材と相互作用するように構成されているシステムによって、実現することができる。第１の磁気部材を備える閉鎖要素は、磁気アクチュエータであってもよい。第２の磁気部材は、コイルであってもよい。第２の磁気部材、例えばコイルの磁場は、第２の磁気部材（コイル）の磁場の方向によって、第１の磁気部材、例えば磁気アクチュエータを備える閉鎖要素を吸引又は反発することができる。
【００６１】
第１の磁気部材、例えば磁気アクチュエータを備える閉鎖要素は、例えば部分的に、レシーバチャネルを開閉することができる。レシーバチャネルは、音響チャネルであってもよい。
【００６２】
この閉鎖要素のスイッチ状態が、閉鎖要素を所望の位置に切り替える以外に決定できないということが問題となり得る。
【００６３】
さらに、例えば移動をブロックする垢又は汚れといった環境的な問題のために、切り替えを実行できない場合、この事を電子的に検出可能ではないということが、問題となり得る。
【００６４】
従って、付加的なセンサを用いることなく閉鎖要素（スイッチ）の状態を検出できるようにすることは利点であり、イヤピースは、スイッチ状態に依存したインピーダンスを含んでもよい。
【００６５】
誘導部材、例えば、ループ又はコイル、例えば電気的に閉じたコイルが、第１の磁気部材、磁気アクチュエータを備える閉鎖要素に機械的に取り付けられてよい。この場合、あるスイッチ状態では、誘導部材が、第２の磁気部材、例えば駆動コイルのより近くに、例えば内部又は周りに配置され、他の状態では、第２の磁気部材から離れて、例えば第２の磁気部材の先端に配置される。誘導部材、例えばループと、第２の磁気部材、例えば駆動コイルとの間の誘導結合は、スイッチ状態に応じてシステムの電気測定値、例えばインピーダンスを変化させる。
【００６６】
従って、電気測定値、例えばインピーダンスは電気的に測定可能なため、閉鎖要素、例えばスイッチの状態が決定され得る。
【００６７】
第２の磁気部材は、例えば、ドライブコイル又は駆動コイルといったコイルであってもよい。第２の磁気部材は、閉鎖要素の第１の磁気部材を駆動してもよい。
【００６８】
第２の磁気部材は、レシーバチャネル内部又はレシーバチャネル外部に配置されてよい。
【００６９】
第２の磁気部材は、ベントポートとレシーバの出力との間に配置されてもよい。あるいは、第２の磁気部材は、ベントポートと、イヤピースの第１の端部との間に配置されてもよい。
【００７０】
第２の磁気部材は、複数のターン／巻線を有するコイルを備える。いくつかの実施形態において、第２の磁気部材は、電流源又は電圧源に接続されている。
【００７１】
電流源又は電圧源は、ＤＣ電圧源又は電流源であってもよい。電流又は電圧を第２の磁気部材に印加するときに、第２の磁気部材は第１の磁気部材により閉鎖要素を吸引又は反発することができる。例えば、ＤＣ電圧の１０ｍｓバーストにより、閉鎖要素の状態、例えば位置を変化させてもよい。
【００７２】
誘導部材は、閉ループコイルであってもよい。
【００７３】
誘導部材は、長手軸の周りに一又は複数の巻線、あるいは一又は複数のターン／巻線を含んでもよい。
【００７４】
誘導部材と第２の磁気部材との間の誘導結合は、電流又は電圧が第２の磁気部材に印加されたときに提供されてもよい。
【００７５】
誘導部材は、閉鎖部材と固定された関係で配置される。誘導部材は、閉鎖部材の周りに配置されてよい。誘導部材は、閉鎖部材の外側表面の周りに配置されてもよい。誘導部材は、閉鎖部材に接続されてもよい。誘導部材は、ロッドを介した接続によって、閉鎖部材に直接的に取り付けられてもよい。
【００７６】
一側面によれば、本明細書は、ユーザの外耳道用のイヤピースを開示する。イヤピースは、イヤピースを装着したユーザの外耳道を密閉するように構成されている。イヤピースは、イヤピースがユーザに装着されているときに、ユーザの外耳道の鼓膜を向いている第１の端部を有している。イヤピースは、イヤピースがユーザに装着されているときに、ユーザの周囲を向いている第２の端部を有している。イヤピースは、第１の端部に配置されている第１のベント開口部と、第２の端部に配置されている第２のベント開口部とに接続されているベントチャネルを備える。ベントチャネルは、ベントポートを備える。イヤピースは、第１の磁気部材を備える閉鎖要素を備える。閉鎖要素は、第１の状態又は第２の状態であるように構成されており、第１の状態では、閉鎖要素によりベントポートが開かれ、第２の状態では、閉鎖要素によりベントポートが閉じられる。イヤピースは、導体材料を備える誘導部材であって、閉鎖部材と固定された関係で構成されているとともに、第２の磁気部材と誘導結合するように構成されている誘導部材を備える。第２の磁気部材は、第１の磁気部材との磁気相互作用によって閉鎖要素を変位させるように構成されている。イヤピースは、第２の磁気部材に通信可能に接続されているプロセッサであって、第２の磁気部材の電気測定値を取得するように構成されているプロセッサを備える。プロセッサは、第２の磁気部材の電気測定値に基づいて、閉鎖要素の状態を決定するように構成されている。
【００７７】
いくつかの実施形態において、システム及び／又はイヤピースは、第１の閾値を含むメモリをさらに備え、プロセッサは、メモリに通信可能に接続され、第１の閾値を取得するように構成されており、プロセッサは、電気測定値と第１の閾値との比較に基づいて、閉鎖要素が第１の状態又は第２の状態であることを検出するように構成されている。
【００７８】
メモリは、デジタルメモリ又はアナログメモリであってもよい。
【００７９】
第１の閾値が提供される。電気測定値と第１の閾値を比較することにより、プロセッサは閉鎖要素が第１の状態、即ち、ベントポートが開いているかどうか、又は閉鎖要素が第２の状態、即ち、ベントポートが閉じているかどうか、又は閉鎖要素が第１の状態でも第２の状態でもない、例えば、閉鎖要素、イヤピース又はシステムが故障しているかどうかを検出可能にし得る。
【００８０】
いくつかの実施形態において、メモリは、第２の閾値を含み、プロセッサは、電気測定値と第１の閾値との間の第１の差が、電気測定値と第２の閾値との間の第２の差よりも小さい場合、閉鎖要素が第１の状態であると決定するように構成されている。
【００８１】
いくつかの実施形態において、プロセッサは、第２の差が第１の差よりも小さい場合、閉鎖要素が第２の状態であると決定するように構成されている。
【００８２】
いくつかの実施形態において、メモリは、第１の閾値と第２の閾値との間の少なくとも１つの第３の閾値を含み、プロセッサは、電気測定値と第３の閾値との間の第３の差が第１の差よりも小さく、且つ、第３の差が第２の差よりも小さい場合、閉鎖要素が第１の状態と第２の状態との間にある第３の状態であると決定するように構成されている。第３の状態は、例えばベントが部分的に開かれている場合、双安定状態であってもよい。
【００８３】
いくつかの実施形態において、電気測定値は第２の磁気部材の電気インピーダンスである。
【００８４】
いくつかの実施形態において、第１の閾値は第１のインピーダンス値である。
【００８５】
いくつかの実施形態において、第２の閾値は第２のインピーダンス値である。
【００８６】
いくつかの実施形態において、第３の閾値は第３のインピーダンス値である。
【００８７】
いくつかの実施形態において、システム及び／又はイヤピースは、レシーバと、レシーバの出力に接続されているとともに、イヤピースの第１の端部のレシーバ開口部まで延びているレシーバチャネルであって、外耳道内で音響出力信号を提供するためのレシーバチャネルをさらに備え、レシーバチャネルは、ベントポートを介してベントチャネルに接続されている。
【００８８】
いくつかの実施形態において、システム及び／又はイヤピースは、マイクロホンチャネルを介して第２の端部の開口部に接続されているマイクロホンであって、周囲からの入力信号を提供するためのマイクロホンをさらに備え、プロセッサは、入力信号を処理するように構成されており、レシーバは、プロセッサからの出力信号を音響出力信号へ変換するために、プロセッサの出力に接続されている。
【００８９】
いくつかの実施形態において、イヤピースはマイクロホンを備え、マイクロホンは、周囲からの入力信号を提供するために、マイクロホンチャネルを介して第２の端部の開口部に接続されている。
【００９０】
いくつかの実施形態において、プロセッサは、イヤピースを装着したユーザの聴力損失に応じて入力信号を処理し、その処理された入力信号に基づいて出力信号を提供するように構成されている。
【００９１】
いくつかの実施形態において、イヤピースは、イヤドーム、聴覚プロテクタ、イヤピース及び補聴器からなる群から選択される。
【００９２】
いくつかの実施形態において、システムは、聴覚プロテクタ、ヘッドホン及び補聴器からなる群から選択される。
【００９３】
いくつかの実施形態において、システム及び／又はイヤピースは、イヤピースの第１の端部とイヤピースの第２の端部との間に延びる長手軸を有し、閉鎖要素は、長手軸に沿って延びる通路であって、その通路を介してレシーバの出力からイヤピースの第１の端部まで音波が伝搬することを可能にするための通路を備える。音波は、レシーバからの音響出力信号、音であってもよい。
【００９４】
いくつかの実施形態において、第１の磁気部材は、第１の端部と、第１の端部と反対側の第２の端部とを有する中空構造を備え、第１の磁気部材は、第１の端部及び第２の端部のそれぞれに開口部を備える。
【００９５】
いくつかの実施形態において、第２の磁気部材は、複数の巻線を有するコイルを備え、第２の磁気部材は、電流源又は電圧源に接続されている、コイルは、複数の巻線／ターンを有していてもよい。
【００９６】
いくつかの実施形態において、巻線数は１よりも多い。
【００９７】
いくつかの実施形態において、誘導部材は、長手軸の周りに一又は複数の巻線を含む。
【００９８】
いくつかの実施形態において、巻線数は１よりも多い。
【００９９】
いくつかの実施形態において、誘導部材と第２の磁気部材との間の誘導結合は、閉鎖要素の状態に応じて第２の磁気部材の電気インピーダンスを変化させる。
【０１００】
いくつかの実施形態において、プロセッサは、第２の磁気部材に供給される電流又は電圧を調整することによって、閉鎖要素の状態を設定するように構成されている。
【０１０１】
いくつかの実施形態において、プロセッサは、システム及び／又はイヤピースが前記第３の状態であると検出することによって、エラー検出するように構成されている。第３状態において、閉鎖要素は、開いても閉じてもいない。
【０１０２】
いくつかの実施形態において、システム及び/又はイヤピースは、外耳道からの第２の入力信号を提供するために第２のマイクロホンチャネルを介してイヤピースの第１の端部の開口部に接続されている第２のマイクロホンをさらに備える。
【０１０３】
いくつかの実施形態において、プロセッサは、ユーザの自声信号の検出に基づいて閉鎖要素の状態を設定するように構成されている。
【０１０４】
いくつかの実施形態において、プロセッサは、入力信号及び第２の入力信号に基づいてユーザの自声信号を検出するように構成されている。
【０１０５】
いくつかの実施形態において、プロセッサは、システム及び/又はイヤピースの操作モードを検出するように構成されている。プロセッサは、操作モードに従って閉鎖要素の状態を設定するように構成されている。
【０１０６】
いくつかの実施形態において、プロセッサは、操作モードを設定するユーザ入力を受信するように構成されており、及び／又は、プロセッサは、閉鎖要素の状態を設定するように構成されている。
【０１０７】
いくつかの実施形態において、イヤピースは、レシーバチャネル内の閉鎖要素の変位を制限するように構成されているコンファイナを備える。
【０１０８】
いくつかの実施形態において、その変位は長手軸に沿っている。
【０１０９】
一側面によれば、前述の実施形態のいずれかに記載のイヤピースを備える聴覚装置が開示される。
【０１１０】
いくつかの実施形態において、プロセッサは、ユーザの耳の後ろに装着されるように構成されているハウジングに収容される。これらの実施形態は、ＢＴＥ（Ｂｅｈｉｎｄ−Ｔｈｅ−Ｅａｒ）聴覚装置用であってもよい。
【０１１１】
いくつかの実施形態において、レシーバはイヤピース内に含まれており、レシーバは、ケーブルに含まれる複数のワイヤを介して、プロセッサに通信可能に接続されている。これらの実施形態は、ＢＴＥ（Ｂｅｈｉｎｄ−Ｔｈｅ−Ｅａｒ）聴覚装置用及び／又はＲＩＥ（Ｒｅｃｅｉｖｅｒ−Ｉｎ−Ｅａｒ）聴覚装置用であってもよい。
【０１１２】
いくつかの実施形態において、マイクロホンはハウジング内に含まれている。これらの実施形態は、ＢＴＥ（Ｂｅｈｉｎｄ−Ｔｈｅ−Ｅａｒ）聴覚装置用であってもよい。
【０１１３】
いくつかの実施形態では、プロセッサはイヤピース内に含まれている。これらの実施形態はＩＴＥ（Ｉｎ−Ｔｈｅ−Ｅａｒ）聴覚装置用及び／又はカスタム聴覚装置用であってもよい。
【０１１４】
いくつかの実施形態では、レシーバはイヤピース内に含まれており、レシーバはプロセッサに通信可能に接続されている。
【０１１５】
いくつかの実施形態では、マイクロホンはイヤピース内に備えられる。
【０１１６】
本発明は、上述の及び以下に記述されるシステム、イヤピース、聴覚装置、補聴器、及び聴力保護装置、ならびに対応するシステム、イヤピース、聴覚装置、補聴器、聴力保護装置、方法、及びシステム部分を含む様々な側面に関し、それぞれが述べられた第１の側面に関連して記述された、一又は複数のメリット及び利点をもたらし、述べられた第１の側面に関連して記述され、及び／又は添付の特許請求の範囲に開示される実施形態に対応する一又は複数の実施形態をそれぞれ有する。
【０１１７】
上記及び他の特徴及び利点は、添付の図面を参照しながら、例示的実施形態の以下の詳細な説明により当業者には容易に明らかとなるであろう。
【図面の簡単な説明】
【０１１８】
【図１ａ】ユーザの外耳道用のイヤピースの一実施例を概略的に示す。
【図１ｂ】ユーザの外耳道用のイヤピースの一実施例を概略的に示す。
【図２ａ】閉鎖要素及び第２の磁気部材を備えるイヤピースレシーバチャネルの一実施例を概略的に示す。
【図２ｂ】閉鎖要素及び第２の磁気部材を備えるイヤピースピースレシーバチャネルの一実施例を概略的に示す。
【図３ａ】閉鎖要素、第２の磁気部材及び誘導要素を備えるイヤピースレシーバチャネルの一実施例を概略的に示す。
【図３ｂ】閉鎖要素、第２の磁気部材及び誘導要素を備えるイヤピースレシーバチャネルの一実施例を概略的に示す。
【図３ｃ】レシーバチャネルの一実施例を概略的に示す。
【図４】イヤピースを備えるＲＩＥ（Ｒｅｃｅｉｖｅｒ−Ｉｎ−ｔｈｅ−Ｅａｒ）聴覚装置のレシーバを概略的に示す。
【発明を実施するための形態】
【０１１９】
図面を参照しながら、各種実施形態を以下に説明する。全体を通して、同じ参照番号は同じ構成要素を指し示す。従って、同じ構成要素は、各図面の説明に関して詳細には説明しない。また、図面は実施形態の説明を容易にすることを意図するものに過ぎないことに留意すべきである。図面は、特許請求の範囲に記載された発明の包括的な説明としても、又は特許請求の範囲に記載された発明の範囲に対する制限としても意図されていない。加えて、図示した実施形態は、示されるすべての側面又は利点を有する必要はない。特定の実施形態とともに記載される側面又は利点は必ずしも、その実施形態に限定されず、図示されていない場合もあり、又は明示的に説明されていない場合でも、任意の他の実施形態で実施可能である。
【０１２０】
全体を通して、同じ参照番号は、同一又は対応する部分のために使用される。
【０１２１】
図１ａ及び図１ｂは、ユーザの外耳道用のイヤピースの一実施例を概略的に示す。イヤピース２は、イヤピースシェル４を有する。イヤピースシェル４は、第１の端部６を有する。第１の端部６は、イヤピース２がユーザに装着されているときにユーザの鼓膜を向いている。イヤピースシェル４は、第２の端部８を有する。第２の端部８は、イヤピース２がユーザに装着されているときにユーザの周囲を向いている。イヤピース２は、イヤピースシェル４の第２の端部８に配置されたマイクロホン１０を備えており、マイクロホン１０は周囲からの入力信号を提供するためのものである。イヤピース２は、入力信号を処理するように構成されているプロセッサ４８を備える。イヤピース２は、プロセッサ４８からの出力信号を音響出力信号へ変換するためにプロセッサ４８の出力１６に接続されたレシーバ１４を備える。イヤピース２は、レシーバ１４の出力２０に接続され、且つイヤピース２の第１の端部６のレシーバ開口部２２まで延びたレシーバチャネル１８を備えており、レシーバチャネル１８は、外耳道内で音響出力信号を提供するためのものである。イヤピース２は、ベントポート２６を介してレシーバチャネル１８に接続されたベントチャネル２４を備える。ベントチャネル２４は、イヤピースシェル４の第２の端部８に第２のベント開口部２８を有する。ベントチャネル２４は、イヤピースシェル４の第１の端部６において、第１のベント開口部２７を有する。イヤピース２の長手軸５２は示されている。
【０１２２】
図１ｂは、イヤピース２がイヤピースシェル４の第２の端部６に配置されたマイクロホン５４を備えていることをさらに示す。第２のマイクロホン５４は、イヤピース２の第２の端部６の開口部に接続されてもよい。第２のマイクロホン５４は、ユーザの外耳道からの第２の入力信号を提供するためのものである。ユーザの外耳道からの第２の入力信号は、ユーザの自声信号を含んでもよい。プロセッサ４８は、第２の入力信号を処理するように構成されている。プロセッサ４８は、ユーザの自声信号の検出に基づいて閉鎖要素の状態を設定するように構成されている（図２−図３参照）。プロセッサ４８は、入力信号及び第２の入力信号に基づいてユーザの自声信号を検出するように構成されている。
【０１２３】
図２ａ及び図２ｂは、レシーバチャネル１８の一実施例を概略的に示す。レシーバチャネル１８は、閉鎖要素３０を備える。閉鎖要素３０は、第１の磁気部材３２を備える。閉鎖要素３０は、第１の状態３４又は第２の状態３６であるように構成されている。第１の状態３４では、閉鎖要素３０によりベントポート２６が開かれる。第２の状態３６では、閉鎖要素３０によりベントポート２６が閉じられる。
【０１２４】
一実施形態において、閉鎖要素が開いている状態にあるとき、即ち、ベントポート２６が開いているとき、及び閉鎖要素が閉じた状態にあるとき、即ち、ベントポート２６が閉じているとき、レシーバからの音響信号が閉鎖要素を通過し得るように、閉鎖要素３０は中空であり、鼓膜を向いている端部及びレシーバを向いている端部が開口している。
【０１２５】
一実施形態において、閉鎖要素３０は、レシーバチャネルの半径Ｒよりも小さい半径ｒと、第１及び第２のコンファイナ４２の間の長手方向距離Ｈよりも小さい高さｈとを有する中空シリンダであってもよい。中空シリンダは、高さｈに沿ったその長手軸５２がレシーバチャネル１８に沿うように配置されてもよい。一実施形態において、０．７５＊Ｒ＜ｒ＜０．９９＊Ｒであれば、半径ｒは、半径Ｒよりも小さい。一実施形態において、０．７５＊Ｈ＜ｈ＜０．９９＊Ｈであれば、高さｈは、距離Ｈよりも小さい。
【０１２６】
イヤピースは、閉鎖要素３０の第１の磁気部材３２との磁気相互作用によって、閉鎖要素３０を変位させるように配置された第２の磁気部材３８を備える。
【０１２７】
磁場が印加されたときに、第２の磁気部材３８は閉鎖要素３０の第１の磁気部材３２を吸引又は反発することができ、これにより閉鎖要素３０を移動させる。閉鎖要素３０を移動させることにより、閉鎖要素３０は第１の状態３４と第２の状態３６との間で変化する又は切り替わる。閉鎖要素３０の状態を変えることにより、ベントポート２６は開いた状態（図２ａ）又は閉じた状態（図２ｂ）の間で変化する。
【０１２８】
第２の磁気部材３８は、例えば、ドライブコイル又は駆動コイルといったコイルであってよい。第２の磁気部材３８は、閉鎖要素３０の第１の磁気部材３２を駆動してもよい。一実施形態では、第２の磁気部材３８は、レシーバチャネル１８内部に配置される。一実施形態では、第２の磁気部材３８は、レシーバチャネル１８外部に配置されることができる。
【０１２９】
第２の磁気部材１８は、ベントポート２６とレシーバ１４の出力２０との間に配置される。一実施形態では、第２の磁気部材３８は、ベントポート２６とレシーバ開口部２２との間に配置されてもよい。
【０１３０】
第２の磁気部材３８は、複数のターン／巻線を有するコイル４０を備える。
【０１３１】
第２の磁気部材３８は、電流源又は電圧源に接続されてもよい。電流源又は電圧源は、ＤＣ電圧源又は電流源であってよい。電流又は電圧を第２の磁気部材３８に印加するときに、第２の磁気部材３８は第１の磁気部材３２により閉鎖要素３０を吸引又は反発することができる。例えば、ＤＣ電圧の１０ｍｓバーストにより、閉鎖要素の状態３４、３６、例えば位置を変化させ得る。一実施形態において、電流源又は電圧源は、バッテリ又は充電式バッテリ等のイヤピースの電源であってよい。一実施形態において、電流源又は電圧源は、マイクロホン及び／又はレシーバ及び／又はプロセッサ４８、且つ第２の磁気部材３８に電力を提供してもよい。
【０１３２】
イヤピースは、レシーバチャネル１８内の閉鎖要素３０の変位を制限するように構成されているコンファイナ４２を備える。コンファイナ４２は、レシーバチャネル１８内の停止要素及び／又は狭窄部を備えてもよい。
【０１３３】
図３ａ及び図３ｂは、レシーバチャネル１８の一実施形態を概略的に示す。レシーバチャネル１８は、閉鎖要素３０を備える。閉鎖要素３０は、第１の磁気部材３２を備える。閉鎖要素３０は、第１の状態３４又は第２の状態３６であるように構成されている。第１の状態３４では、閉鎖要素３０によりベントポート２６が開かれる。第２の状態３６では、閉鎖要素３０によりベントポート２６が閉じられる。
【０１３４】
一実施形態において、閉鎖要素が開いている状態にあるとき、即ち、ベントポート２６が開いているとき、及び閉鎖要素が閉じた状態にあるとき、即ち、ベントポート２６が閉じているとき、レシーバからの音響信号が閉鎖要素を通過し得るように、閉鎖要素３０は中空であり、鼓膜を向いている端部及びレシーバを向いている端部が開口している。
【０１３５】
一実施形態において、閉鎖要素３０は、レシーバチャネルの半径Ｒよりも小さい半径ｒと、第１および第２のコンファイナ４２の間の長手方向距離Ｈよりも小さい高さｈとを有する中空シリンダであってもよい。中空シリンダは、高さｈに沿ったその長手軸５２がレシーバチャネル１８に沿うように配置されてもよい。一実施形態において、０．７５＊Ｒ＜ｒ＜０．９９＊Ｒであれば、半径ｒは、半径Ｒよりも小さい。一実施形態において、０．７５＊Ｈ＜ｈ＜０．９９＊Ｈであれば、高さｈは、距離Ｈよりも小さい。
【０１３６】
イヤピースは、閉鎖要素３０の第１の磁気部材３２との磁気相互作用によって閉鎖要素３０を変位させるように配置された第２の磁気部材３８を備える。
【０１３７】
磁場が印加されたときに、第２の磁気部材３８は閉鎖要素３０の第１の磁気部材３２を吸引又は反発することができ、これにより閉鎖要素３０を移動させる。閉鎖要素３０を移動させることにより、閉鎖要素３０は第１の状態３４と第２の状態３６との間で変化する又は切り替わる。閉鎖要素３０の状態を変えることにより、ベントポート２６は開いた状態（図３ａ）又は閉じた状態（図３ｂ）の間で変化する。
【０１３８】
第２の磁気部材３８は、例えば、ドライブコイル又は駆動コイルといったコイルであってもよい。第２の磁気部材３８は、閉鎖要素３０の第１の磁気部材３２を駆動してもよい。第２の磁気部材３８はレシーバチャネル１８内部に配置される。あるいは、第２の磁気部材３８はレシーバチャネル１８外部に配置されることができる。
【０１３９】
第２の磁気部材１８は、ベントポート２６とレシーバ１４の出力２０との間に配置される。あるいは、第２の磁気部材３８は、ベントポート２６とレシーバ開口部２２との間に配置されてもよい。
【０１４０】
第２の磁気部材３８は、複数のターン／巻線を有するコイル４０を備える。
【０１４１】
第２の磁気部材３８は電流源／電圧源５０に接続される。電流源又は電圧源５０は、ＤＣ電圧源又は電流源であってもよい。電流又は電圧を第２の磁気部材３８に印加するときに、第２の磁気部材３８は第１の磁気部材３２により閉鎖要素３０を吸引又は反発することができる。例えば、ＤＣ電圧の１０ｍｓバーストにより、閉鎖要素３０の状態３４、３６、例えば位置を変化させてもよい。一実施形態において、電流源又は電圧源５０は、バッテリ又は充電式バッテリ等のイヤピースの電源であってもよい。一実施形態において、電流源又は電圧源は、第２の磁気部材３８、且つマイクロホン及び／又はレシーバ及び／又はプロセッサ４８に電力を提供してもよい。
【０１４２】
イヤピースは、レシーバチャネル１８内の閉鎖要素３０の変位を制限するように構成されているコンファイナ４２を備える。コンファイナ４２は、レシーバチャネル１８内の停止要素及び／又は狭窄部を備えてもよい。
【０１４３】
イヤピースは、導体材料を備えた誘導部材４４を備え、誘導部材４４は、閉鎖部材３０と固定された関係で配置され、第２の磁気部材３８と誘導結合するように配置される。
【０１４４】
誘導部材４４は、閉ループコイルであってもよい。誘導部材は、長手軸５２の周りに一又は複数のターン／巻線を備えてもよい。
【０１４５】
誘導部材４４と第２の磁気部材３８との間の誘導結合は、電流又は電圧が電流源／電圧源５０を通して第２の磁気部材３８に印加されたときに提供されてもよい。
【０１４６】
誘導部材４４は、閉鎖部材３０に接続されている。誘導部材４４は、ロッド４６を介した接続によって、閉鎖部材３０に直接的に取り付けられている。あるいは、誘導部材４４は、閉鎖部材３０の周りに、例えば閉鎖部材３０の外側表面の周りに配置されてもよい。
【０１４７】
誘導部材４４と閉鎖要素３０との間の固定された関係によって、閉鎖要素３０が第２の磁気部材３８に対して誘導部材４４を移動させたときに、第２の磁気部材３８と誘導部材４４との間の誘導結合が変化し、それに従い第２の磁気部材３８の電気測定値、例えばインピーダンスも変化する。
【０１４８】
この電気測定値、例えばインピーダンスの変化は、第２の磁気部材３８に接続されたプロセッサ４８によって検出又は決定されてもよい。
【０１４９】
プロセッサ４８は、第２の磁気部材３８の電気測定値、例えばインピーダンスに基づいて閉鎖要素３０の状態を決定するように構成されている。
【０１５０】
プロセッサ４８は、電流源／電圧源４２から第２の磁気部材３８に供給される電流又は電圧を調整することによって、閉鎖要素３０の状態３４、３６を設定するように構成されている。
【０１５１】
プロセッサ４８は、第２の磁気部材３８の電気測定値、例えばインピーダンスの減少を検出することによって、閉鎖要素３０が、第１の状態３４、即ちベントポート２６が開いている状態から、第２の状態３６、即ちベントポート２６が閉じた状態に変化することを検出するように構成されている。
【０１５２】
プロセッサ４８は、第２の磁気部材３８の電気測定値、例えばインピーダンスの増加を検出することによって、閉鎖要素３０が、第２の状態３６、即ちベントポート２６が閉じた状態から、第１の状態３４、即ちベントポート２６が開いている状態に変化することを検出するように構成されている。
【０１５３】
イヤピース２又はシステムは、メモリ５６を備える。メモリは、１つ又は複数の閾値、例えば、第１の閾値、第２の閾値及び第３の閾値を含む。プロセッサ４８は、メモリ５６に通信可能に接続され、１つ又は複数の閾値を取得するように構成されている。
【０１５４】
図３ｃは、レシーバチャネル１８の一実施形態を概略的に示す。レシーバチャネル１８は、閉鎖要素３０を備える。レシーバチャネル１８は、図３ａ及び図３ｂの特徴をさらに備える。図３ａ及び図３ｂに示すように、閉鎖要素３０は、第１の状態３４又は第２の状態３６であるように構成されている。第１の状態３４では、閉鎖要素３０によりベントポート２６が開かれる。第２の状態３６では、閉鎖要素３０によりベントポート２６が閉じられる。
【０１５５】
図３ｃは、閉鎖要素３０が第３の状態５８である一実施例を示す。第３の状態５８では、閉鎖要素３０は、開いた状態３４（図３ａ）でも閉じた状態３６（図３ｂ）でもない。従って、第３の状態５８では、ベントポート２６は開いても閉じてもいない。第３の状態５８では、ベントポート２６は、部分的に開いている等、半分開いているか半分閉じていることができる。第３の状態５８では、閉鎖要素３０は第１の状態３４と第２の状態３６との間である。
【０１５６】
閉鎖要素３０が第３の状態５８である場合、これは、例えば、レシーバチャネル１８が例えば耳垢、汚れ等によってブロックされることに起因するエラーであって、閉鎖要素３０がレシーバチャネル１８内で自由に動けなくなるエラーである可能性がある。
【０１５７】
プロセッサ４８は、閉鎖要素３０が第３の状態５８であると検出するように構成されてもよい。従って、プロセッサ４８は、システム及び／又はイヤピース２及び／又は閉鎖要素３０が第３の状態５８であると検出することによって、エラー検出するように構成されてもよい。プロセッサ４８は、電気測定値と第３の閾値との間の第３の差が第１の差よりも小さく、且つ、その第３の差が第２の差よりも小さい場合、閉鎖要素３０が第１の状態３４と第２の状態３６との間にある第３の状態５８であると判断するように構成されていてもよく、この場合、第３の閾値は、第１の閾値と第２の閾値の間である。従って、このことによって、プロセッサ４８が、閉鎖要素３０が第３の状態５８、即ち開いた状態３４でも閉じた状態３６でもないと決定する場合、エラー検出が可能になる。
【０１５８】
一実施形態では、第３の状態５８を用いて、ベントポート２６を部分的に開くことができる。プロセッサ４８は、ベントポート２６が部分的に開いている必要があることを示すユーザからの入力を受信してもよい。この入力は、システム又はシステム上のボタン等に通信可能に接続されている外部通信装置を介して受信される。プロセッサ４８は、システムにより検出される音声環境又はシステムにより検出可能な任意の他のパラメータに基づいて、ベントポート２６が部分的に開いている必要があることを決定してもよい。プロセッサ４８は、その入力及び／又はその決定に基づいて、プロセッサ４８が、閉鎖要素３０が第３の状態５８であると検出するまで、第２の磁気部材３８を制御して閉鎖要素３０を第１の状態３４から第２の状態３６へ、又は第２の状態３６から第１の状態３４へ変位させるように構成されてもよい。これにより、ベントチャネル２４は部分的に開いた状態、即ち、第３の状態５８で設定されてもよい。
【０１５９】
図４は、イヤピース２を備えたＲＩＥ（Ｒｅｃｅｉｖｅｒ  Ｉｎ  ｔｈｅ  Ｅａｒ）聴覚装置６０を概略的に示す。イヤピース２は、図３ａ、図３ｂ及び図３ｃのいずれかに係る。
【０１６０】
図１ａ及び図１ｂでは、プロセッサ４８がイヤピース２に設けられる一実施形態が示される。
【０１６１】
図４は、プロセッサ４８がユーザの耳の後ろに装着されるように構成されているハウジング６２内に含まれる一実施形態を示す。
【０１６２】
レシーバ１４は、図１ａ及び図１ｂに示すようにイヤピース内に含まれており、レシーバ１４は、ケーブル６４に含まれる複数のワイヤを介してハウジング６２内のプロセッサ４８に通信可能に接続されている。
【０１６３】
従って、聴覚装置６０は、イヤピース２のレシーバ１４と接続されたプロセッサ４８を備えたハウジング６２を有するＢＴＥ（Ｂｅｈｉｎｄ−Ｔｈｅ−Ｅａｒ）聴覚装置である。
【０１６４】
特定の特徴を示し、説明したが、特定の特徴は、特許請求の範囲に記載された発明を制限することを意図していないことが理解され、また当業者には各種の変更及び改変が特許請求の範囲に記載された発明の範囲から逸脱することなく行われ得ることが明らかになるだろう。従って、本明細書及び図面は、限定するものではなくむしろ例示としてみなされるべきである。特許請求の範囲に記載された発明は、あらゆる代替物、改変物、及び均等物を包含することが意図される。
【０１６５】
（項目１）
ユーザの外耳道用のイヤピースであって、
前記イヤピースは、前記イヤピースを装着した前記ユーザの前記外耳道を密閉するように構成されており、
前記イヤピースは、前記イヤピースが前記ユーザに装着されているときに、前記ユーザの前記外耳道の鼓膜を向いている第１の端部を有しており、
前記イヤピースは、前記イヤピースが前記ユーザに装着されているときに、前記ユーザの周囲を向いている第２の端部を有しており、
前記イヤピースは、
前記第１の端部に配置された第１のベント開口部と、前記第２の端部に配置された第２のベント開口部とに接続されているベントチャネルであって、ベントポートを備えるベントチャネルと、
第１の磁気部材を備える閉鎖要素であって、第１の状態又は第２の状態であるように構成されており、前記第１の状態では、前記閉鎖要素により前記ベントポートが開かれ、前記第２の状態では、前記閉鎖要素により前記ベントポートが閉じられる閉鎖要素と、
導体材料を備える誘導部材であって、前記閉鎖部材と固定された関係で構成されているとともに、第２の磁気部材と誘導結合するように構成されている誘導部材と、
前記第１の磁気部材との磁気相互作用によって、前記閉鎖要素を変位させるように構成されている前記第２の磁気部材と、
前記第２の磁気部材に通信可能に接続されて、前記第２の磁気部材の電気測定値を取得するように構成されているプロセッサと、
を備え、
前記プロセッサは、前記第２の磁気部材の前記電気測定値に基づいて前記閉鎖要素の前記状態を決定するように構成されている、イヤピース。
【０１６６】
（項目２）
前記イヤピースは、第１の閾値を含むメモリをさらに備え、
前記プロセッサは、前記メモリに通信可能に接続され、前記第１の閾値を取得するように構成されており、
前記プロセッサは、前記電気測定値と前記第１の閾値との比較に基づいて、前記閉鎖要素が前記第１の状態又は前記第２の状態であることを検出するように構成されている、項目１に記載のイヤピース。
【０１６７】
（項目３）
前記メモリは、第２の閾値を含み、
前記プロセッサは、前記電気測定値と前記第１の閾値との間の第１の差が、前記電気測定値と前記第２の閾値との間の第２の差よりも小さい場合、前記閉鎖要素が前記第１の状態であると決定するように構成されている、項目２に記載のイヤピース。
【０１６８】
（項目４）
前記プロセッサは、前記第２の差が前記第１の差よりも小さい場合、前記閉鎖要素が前記第２の状態であると決定するように構成されている、項目３に記載の記載のイヤピース。
【０１６９】
（項目５）
メモリは、前記第１の閾値と前記第２の閾値との間の少なくとも１つの第３の閾値を含み、
前記プロセッサは、前記電気測定値と前記第３の閾値との間の第３の差が前記第１の差よりも小さく、且つ、前記第３の差が前記第２の差よりも小さい場合、前記閉鎖要素が前記第１の状態と前記第２の状態との間にある第３の状態であると決定するように構成されている、項目４に記載のイヤピース。
【０１７０】
（項目６）
前記電気測定値は、第２の磁気部材の電気インピーダンスである、項目１に記載のイヤピース。
【０１７１】
（項目７）
前記第１の閾値は、第１のインピーダンス値である、項目２に記載のイヤピース。
【０１７２】
（項目８）
前記第２の閾値は、第２のインピーダンス値である、項目３に記載のイヤピース。
【０１７３】
（項目９）
前記第３の閾値は、第３のインピーダンス値である、項目５に記載のイヤピース。
【０１７４】
（項目１０）
前記イヤピースは、
レシーバと、
前記レシーバの出力に接続されているとともに、前記イヤピースの前記第１の端部のレシーバ開口部まで延びているレシーバチャネルであって、前記外耳道内で音響出力信号を提供するためのレシーバチャネルと、をさらに備え、
前記レシーバチャネルは、前記ベントポートを介して前記ベントチャネルに接続されている、項目１から９のいずれか一項に記載のイヤピース。
【０１７５】
（項目１１）
前記イヤピースは、マイクロホンチャネルを介して前記第２の端部の開口部に接続されているマイクロホンであって、前記周囲からの入力信号を提供するためのマイクロホンをさらに備え、
前記プロセッサは、前記入力信号を処理するように構成されており、
前記レシーバは、前記プロセッサからの前記出力信号を前記音響出力信号へ変換するために、前記プロセッサの出力に接続されている、項目１０に記載のイヤピース。
【０１７６】
（項目１２）
前記プロセッサは、前記イヤピースを装着したユーザの聴力損失に応じて、前記入力信号を処理し、処理された前記入力信号に基づいて前記出力信号を提供するように構成されている、項目１１に記載のイヤピース。
【０１７７】
（項目１３）
前記イヤピースは、イヤドーム、聴覚プロテクタ、イヤピース及び補聴器からなる群から選択される、項目１から１２のいずれか一項に記載のイヤピース。
【０１７８】
（項目１４）
前記イヤピースは、前記イヤピースの前記第１の端部と前記イヤピースの前記第２の端部との間に延びる長手軸を有し、
前記閉鎖要素は、前記長手軸に沿って延びる通路であって、その通路を介して前記レシーバの前記出力から前記イヤピースの前記第１の端部まで音波が伝搬することを可能にするための通路を備える、項目１から１３のいずれか一項に記載のイヤピース。
【０１７９】
（項目１５）
前記第１の磁気部材は、第１の端部と、前記第１の端部と反対側の第２の端部とを有する中空構造を備え、前記第１の磁気部材は、前記第１の端部及び前記第２の端部のそれぞれに開口部を備える、項目１から１４のいずれか一項に記載のイヤピース。
【０１８０】
（項目１６）
前記第２の磁気部材は、複数の巻線を有するコイルを備え、前記第２の磁気部材は、電流源又は電圧源に接続されている、項目１から１５のいずれか一項に記載のイヤピース。
【０１８１】
（項目１７）
前記誘導部材は前記長手軸の周りに一又は複数の巻線を備える、項目１４に記載のイヤピース。
【０１８２】
（項目１８）
前記誘導部材と前記第２の磁気部材との間の前記誘導結合は、前記閉鎖要素の前記状態に応じて前記第２の磁気部材の前記電気インピーダンスを変化させる、項目１から１７のいずれか一項に記載のイヤピース。
【０１８３】
（項目１９）
前記プロセッサは、前記第２の磁気部材に供給される電流又は電圧を調整することによって、前記閉鎖要素の前記状態を設定するように構成されている、項目１から１８のいずれか一項に記載のイヤピース。
【０１８４】
（項目２０）
前記プロセッサは、前記システムが前記第３の状態であると検出することによって、エラー検出するように構成されている、項目５を引用する項目１から１９のいずれか一項に記載のシステム。
【０１８５】
（項目２１）
前記イヤピースは、前記外耳道からの第２の入力信号を提供するために、第２のマイクロホンチャネルを介して前記イヤピースの前記第１の端部の開口部に接続されている第２のマイクロホンをさらに備える、項目１から２０のいずれか一項に記載のイヤピース。
【０１８６】
（項目２２）
前記プロセッサは、前記ユーザの自声信号の検出に基づいて前記閉鎖要素の前記状態を設定するように構成されている、項目２１に記載のイヤピース。
【０１８７】
（項目２３）
前記プロセッサは、前記入力信号及び前記第２の入力信号に基づいて、前記ユーザの前記自声信号を検出するように構成されている、項目２２に記載のイヤピース。
【０１８８】
（項目２４）
前記プロセッサは、前記イヤピースの操作モードを検出し、前記操作モードに従って前記閉鎖要素の前記状態を設定するように構成されている、項目１から２３のいずれか一項に記載のイヤピース。
【０１８９】
（項目２５）
前記プロセッサは、前記操作モードを設定し、及び／又は前記閉鎖要素の前記状態を設定するユーザ入力を受信するように構成されている、項目２４に記載のイヤピース。
【０１９０】
（項目２６）
前記イヤピースは、前記レシーバチャネル内の前記閉鎖要素の変位を制限するように構成されているコンファイナを備える、項目１から２５のいずれか一項に記載のイヤピース。
【０１９１】
（項目２７）項目１から２６のいずれか一項に記載のイヤピースを備える、聴覚装置。
【０１９２】
（項目２８）
ユーザの外耳道用のイヤピースを備えるシステムであって、
前記イヤピースは、前記イヤピースを装着した前記ユーザの前記外耳道を密閉するように構成されており、
前記イヤピースは、前記イヤピースが前記ユーザに装着されているときに、前記ユーザの前記外耳道の鼓膜を向いている第１の端部を有しており、
前記イヤピースは、前記イヤピースが前記ユーザに装着されているときに、前記ユーザの周囲を向いている第２の端部を有しており、
前記イヤピースは、
前記第１の端部に配置された第１のベント開口部と、前記第２の端部に配置された第２のベント開口部とに接続されているベントチャネルであって、ベントポートを備えるベントチャネルと、
第１の磁気部材を備える閉鎖要素であって、第１の状態又は第２の状態であるように構成されており、前記第１の状態では、前記閉鎖要素により前記ベントポートが開かれ、前記第２の状態では、前記閉鎖要素により前記ベントポートが閉じられる閉鎖要素と、
導体材料を備える誘導部材であって、前記閉鎖部材と固定された関係で構成されているとともに、第２の磁気部材と誘導結合するように構成されている誘導部材と、
前記第１の磁気部材との磁気相互作用によって、前記閉鎖要素を変位させるように構成されている前記第２の磁気部材と、
を備え、
前記システムは、
前記第２の磁気部材に通信可能に接続されて、前記第２の磁気部材の電気測定値を取得するように構成されているプロセッサを備え、
前記プロセッサは、前記第２の磁気部材の前記電気測定値に基づいて前記閉鎖要素の前記状態を決定するように構成されている、システム。
【０１９３】
(項目２９）
前記システムは、第１の閾値を含むメモリをさらに備え、
前記プロセッサは、前記メモリに通信可能に接続され、前記第１の閾値を取得するように構成されており、
前記プロセッサは、前記電気測定値と前記第１の閾値との比較に基づいて、前記閉鎖要素が前記第１の状態又は前記第２の状態であると検出するように構成されている、項目２８に記載のシステム。
【０１９４】
（項目３０）
前記メモリは、第２の閾値を含み、
前記プロセッサは、前記電気測定値と前記第１の閾値との間の第１の差が、前記電気測定値と前記第２の閾値との間の第２の差よりも小さい場合、前記閉鎖要素が前記第１の状態であると決定するように構成されている、項目２９に記載のシステム。
【０１９５】
（項目３１）
前記プロセッサは、前記第２の差が前記第１の差よりも小さい場合、前記閉鎖要素が前記第２の状態であると決定するように構成されている、項目３０に記載のシステム。
【０１９６】
（項目３２）
前記メモリは、前記第１の閾値と前記第２の閾値との間の少なくとも１つの第３の閾値を含み、
前記プロセッサは、前記電気測定値と前記第３の閾値との間の第３の差が前記第１の差よりも小さく、且つ、前記第３の差が前記第２の差よりも小さい場合、前記閉鎖要素が前記第１の状態と前記第２の状態との間にある第３の状態であると決定するように構成されている、項目３１に記載のシステム。
【０１９７】
（項目３３）
前記電気測定値は、前記第２の磁気部材の電気インピーダンスである、項目２８に記載のシステム。
【０１９８】
（項目３４）
前記第１の閾値は、第１のインピーダンス値である、項目２９に記載のシステム。
【０１９９】
（項目３５）
前記第２の閾値は第２のインピーダンス値である、項目３０に記載のシステム。
【０２００】
（項目３６）
第３の閾値は、第３のインピーダンス値である、項目３２に記載のシステム。
【０２０１】
（項目３７）
前記システムは、レシーバをさらに備え、
前記イヤピースは、前記レシーバの出力に接続されているとともに、前記イヤピースの前記第１の端部のレシーバ開口部まで延びているレシーバチャネルであって、前記外耳道内で音響出力信号を提供するためのレシーバチャネルをさらに備え、
前記レシーバチャネルは、前記ベントポートを介して前記ベントチャネルに接続されている、項目２８から３６のいずれか一項に記載のシステム。
【０２０２】
（項目３８）
入力信号を提供するために前記ユーザの周囲へ向けられたマイクロホンをさらに備え、
前記プロセッサは、前記入力信号を処理するように構成されており、
前記レシーバは、前記プロセッサからの前記出力信号を前記音響出力信号へ変換するために、前記プロセッサの出力に接続されている、項目３７に記載のシステム。
【０２０３】
（項目３９）
前記イヤピースは、マイクロホンを備え、
前記マイクロホンは、前記周囲からの前記入力信号を提供するために、マイクロホンチャネルを介して前記第２の端部の開口部に接続されている、項目３８に記載のシステム。
【０２０４】
（項目４０）前記プロセッサは、前記イヤピースを装着したユーザの聴力損失に応じて前記入力信号を処理し、処理された前記入力信号に基づいて前記出力信号を提供するように構成されている、項目３８又は３９に記載のシステム。
【０２０５】
（項目４１）前記システムは、聴覚プロテクタ、ヘッドホン及び補聴器からなる群から選択される、項目２８から４０のいずれか一項に記載のシステム。
【０２０６】
（項目４２）
前記システムは、前記イヤピースの前記第１の端部と前記イヤピースの前記第２の端部との間に延びる長手軸を有し、
前記閉鎖要素は、前記長手軸に沿って延びる通路であって、その通路を介して前記レシーバの前記出力から前記イヤピースの前記第１の端部まで音波が伝搬することを可能にするための通路を備える、項目２８から４１のいずれか一項に記載のシステム。
【０２０７】
（項目４３）
前記第１の磁気部材は、第１の端部と、前記第１の端部と反対側の第２の端部とを有する中空構造を備え、前記第１の磁気部材は、前記第１の端部及び前記第２の端部のそれぞれに開口部を備える、項目２８から４２のいずれか一項に記載のシステム。
【０２０８】
（項目４４）
前記第２の磁気部材は、複数の巻線を有するコイルを備え、前記第２の磁気部材は、電流源又は電圧源に接続されている、項目２８から４３のいずれか一項に記載のシステム。
【０２０９】
（項目４５）
巻線数は、１よりも多い、項目４４に記載のシステム。
【０２１０】
（項目４６）
前記誘導部材は、前記長手軸の周りに一又は複数の巻線を備える、項目４２に記載のシステム。
【０２１１】
（項目４７）
巻線数は、１よりも多い、項目４６に記載のシステム。
【０２１２】
（項目４８）
前記誘導部材と前記第２の磁気部材との間の前記誘導結合は、前記閉鎖要素の前記状態に応じて前記第２の磁気部材の前記電気インピーダンスを変化させる、項目２８から４７のいずれか一項に記載のシステム。
【０２１３】
（項目４９）
前記プロセッサは、前記第２の磁気部材に供給される電流又は電圧を調整することによって、前記閉鎖要素の前記状態を設定するように構成されている、項目２８から４８のいずれか一項に記載のシステム。
【０２１４】
（項目５０）
前記プロセッサは、前記システムが前記第３の状態であると検出することによって、エラー検出するように構成されている、項目３２を引用する請求項２８から４９のいずれか一項に記載のシステム。
【０２１５】
（項目５１）
前記イヤピースは、前記外耳道からの第２の入力信号を提供するために、第２のマイクロホンチャネルを介して前記イヤピースの前記第１の端部の開口部に接続されている第２のマイクロホンをさらに備える、項目２８から５０のいずれか一項に記載のシステム。
【０２１６】
（項目５２）
前記プロセッサは、前記ユーザの自声信号の検出に基づいて前記閉鎖要素の前記状態を設定するように構成されている、項目５１に記載のシステム。
【０２１７】
（項目５３）
前記プロセッサは、前記入力信号及び前記第２の入力信号に基づいて前記ユーザの前記自声信号を検出するように構成されている、項目５２に記載のシステム。
【０２１８】
（項目５４）
前記プロセッサは、前記システムの操作モードを検出し、前記操作モードに従って前記閉鎖要素の前記状態を設定するように構成されている、項目２８から５３のいずれか一項に記載のシステム。
【０２１９】
（項目５５）
前記プロセッサは、前記操作モードを設定し、及び／又は前記閉鎖要素の前記状態を設定するユーザ入力を受信するように構成されている、項目５４に記載のシステム。
【０２２０】
（項目５６）
前記イヤピースは、前記レシーバチャネル内の前記閉鎖要素の変位を制限するように構成されているコンファイナを備える、項目２８から５５のいずれか一項に記載のシステム。
【０２２１】
（項目５７）
前記変位は、前記長手軸に沿っている、項目４２を引用する項目５６に記載のシステム。
【０２２２】
（項目５８）
前記プロセッサは、前記ユーザの前記耳の後ろに装着されるように構成されているハウジング内に含まれる、項目２８から５７のいずれか一項に記載のシステム。
【０２２３】
（項目５９）
前記レシーバは、前記イヤピース内に含まれており、前記レシーバは、ケーブルに入った複数のワイヤを介して前記プロセッサに通信可能に接続されている、項目３７を引用する項目５８に記載のシステム。
【０２２４】
（項目６０）
前記マイクロホンは、前記ハウジング内に含まれる、項目３８を引用する項目５８、又は項目３８を引用する項目５９に記載のシステム。
【０２２５】
（項目６１）
前記プロセッサは、前記イヤピース内に含まれる、項目２８から３８のいずれか一項に記載のシステム。
【０２２６】
（項目６２）
前記レシーバは、前記イヤピース内に含まれてり、前記レシーバは、前記プロセッサに通信可能に接続されている、項目３８を引用する項目６１に記載のシステム。
【０２２７】
（項目６３）
前記マイクロホンは前記イヤピース内に含まれる、項目３８を引用する項目６１、又は項目３８を引用する項目６２に記載のシステム。
【符号の説明】
【０２２８】
２：イヤピース
４：イヤピースシェル
６：第１の端部
８：第２の端部
１０：マイクロホン
１４：レシーバ
１６：プロセッサの出力
１８：レシーバチャネル
２０：レシーバの出力
２２：レシーバ開口部
２４：ベントチャネル
２６：ベントポート
２７：第１のベント開口部
２８：第２のベント開口部
３０：閉鎖要素
３２：第１の磁気部材
３４：閉鎖要素の第１の状態
３６：閉鎖要素の第２の状態
３８：第２の磁気部材
４０：第２の磁気部材のコイル
４２：コンファイナ
４４：誘導部材
４６：閉鎖要素及び誘導部材に接続されているロッド
４８：プロセッサ
５０：電流源／電圧源
５２：長手軸
５４：第２のマイクロホン
５６：メモリ
５８：閉鎖要素の第３の状態
６０：ＲＩＥ聴覚装置
６２：ＢＴＥハウジング
【図１ａ】
2020108140.tif 000003
【図１ｂ】
2020108140.tif 000004
【図２ａ】
2020108140.tif 000005
【図２ｂ】
2020108140.tif 000006
【図３ａ】
2020108140.tif 000007
【図３ｂ】
2020108140.tif 000008
【図３ｃ】
2020108140.tif 000009
【図４】
2020108140.tif 000010
【外国語明細書】
2020108140000001.pdf
2020108140000002.pdf
2020108140000003.pdf
2020108140000004.pdf